(57)【要約】【課題】咬合力の低下した残存歯の咬合力を受け止められる十分な機械的強度を有し、歯頸に被着するだけの簡単な操作で歯が本来もっている咬合力を発揮でき、また生理的な動揺は維持したまま残存歯を固定することができ、また歯根の露出を防いだり症状に応じて自在に設計したりすることができるとともに、処置等による患者の負担を軽減でき、さらに審美性を損ねることがなく違和感の少ない歯牙固定具を提供する。【解決手段】（ａ）歯頸の唇側又は頬側に配される頬側床部２ａと、舌側又は口蓋側に配される舌側床部２ｂと、を備えた弾性床２と、（ｂ）弾性床２の頬側床部２ａと舌側床部２ｂとの間に形成された残存歯挿入孔３と、（ｃ）歯列を横断する２つの横断部５ｃ、４と、頬側床部２ａ及び舌側床部２ｂに埋入された埋入部５ｂ、５ｄと、を有し、残存歯挿入孔３に挿入された残存歯を囲繞する一連の線状補強材５と、を備える。【選択図】図１
2010187934.tif 000002
【特許請求の範囲】
【請求項１】
（ａ）歯頸の唇側又は頬側に配される頬側床部と、舌側又は口蓋側に配される舌側床部と、を備えた弾性床と、（ｂ）前記弾性床の前記頬側床部と前記舌側床部との間に形成された残存歯挿入孔と、（ｃ）歯列を横断する２つの横断部と、前記頬側床部及び前記舌側床部に埋入された埋入部と、を有し、前記残存歯挿入孔に挿入された残存歯を囲繞する一連の線状補強材と、を備えていることを特徴とする歯牙固定具。
【請求項２】
前記残存歯挿入孔が、前記残存歯の最大豊隆部に密接する縁部と、前記残存歯の歯冠下部との間に隙間が形成される歯茎側壁部と、を備えていることを特徴とする請求項１に記載の歯牙固定具。
【請求項３】
前記線状補強材の端部が固着され前記残存歯挿入孔の壁部に埋入された補強体を備えていることを特徴とする請求項１又は２に記載の歯牙固定具。
【請求項４】
前記補強体が、前記横断部として配設されていることを特徴とする請求項３に記載の歯牙固定具。
【発明の詳細な説明】
【技術分野】
【０００１】
本発明は、歯頸に被着して残存歯を固定する歯牙固定具に関するものである。
【背景技術】
【０００２】
健康な歯と歯周組織は、歯を噛み合わせたときの咬合力を十分に受け止められるが、歯周病によって歯槽骨が溶けていくと、歯根が露出し歯肉も咬合力に耐えることができず、歯が動揺するようになる。歯が動揺して噛み合わせが悪くなると、歯周組織がさらにダメージを受け、歯周病が悪化することがある。また、外傷によって歯が動揺する場合は、咬合によって痛みが生じ、歯槽膜が圧迫され咬合力が弱くなる。
そこで、歯周病や外傷等によって歯が動揺するときや歯周外科手術の後には、歯周病の悪化や痛みを抑えるため、歯と歯を何本か一緒に固定する「暫間固定」が行なわれている。「暫間固定」は、複数の歯の唇側や頬側に、ワイヤ（金属線），接着性レジン，ワイヤと接着性レジン等を固着して、複数の歯を一緒に固定する暫定的な処置である（非特許文献１）。
また、歯槽骨の吸収が進んでいる場合は、ブリッジや連結冠で連結して動揺しないようにする処置（永久固定）も行なわれている（非特許文献１）。
【先行技術文献】
【非特許文献】
【０００３】
【非特許文献１】深沢  一、“歯周病・歯槽膿漏と歯の暫間固定（ざんかんこてい）”、［online］、ふかさわ歯科クリニック・スマイル歯科クリニック、［平成２１年１月２３日検索］、インターネット＜URL:http://www.perio.tk/p_cure/5_tfix/index.html＞
【発明の概要】
【発明が解決しようとする課題】
【０００４】
しかしながら上記従来の技術においては、以下のような課題を有していた。
（１）（非特許文献１）に開示された暫間固定では、複数の歯の唇側や頬側に、ワイヤ（金属線），接着性レジン，ワイヤと接着性レジン等を固着するため、ワイヤ等が剥き出しになり、見た目や舌触り等が優れないという課題を有していた。また、ワイヤ等に遮られて口腔清掃がうまくいかなくなるため、口腔内を清潔に保つためには、従来以上の歯磨きが必要になるという課題を有していた。
（２）ワイヤ，接着性レジン等と歯との固着強度があまり強くないため、しばしば外れてしまうことがあり、その都度、歯科医院に通院して処置をやり直さなければならず煩雑であり、患者は通院や処置の待ち時間等の負担を強いられていた。
（３）また、ブリッジでは残存歯に負担がかかり、連結冠では、歯が本来もっている生理的な動揺も妨げられるため歯周組織に負担がかかり、さらにブリッジや連結冠に遮られて、口腔内の清掃性が低下するという課題を有していた。
（４）（非特許文献１）に開示された暫間固定、ブリッジ及び連結冠による固定では、矢状方向（体の前後を貫く方向）の応力には耐え得るが、側方の揺れに対しては抵抗性が弱いという課題を有していた。
【０００５】
本発明は上記従来の課題を解決するもので、咬合力の低下した残存歯の咬合力を受け止められる十分な機械的強度を有し、歯頸に被着するだけの簡単な操作で歯が本来もっている咬合力を発揮でき、また生理的な動揺は維持したまま残存歯を固定することができ、また歯根の露出を防いだり症状に応じて自在に設計したりすることができるとともに、処置等による患者の負担を軽減でき、さらに審美性を損ねることがなく違和感の少ない歯牙固定具を提供することを目的とする。
【課題を解決するための手段】
【０００６】
上記従来の課題を解決するために本発明の歯牙固定具は、以下の構成を有している。
本発明の請求項１に記載の歯牙固定具は、（ａ）歯頸の唇側又は頬側に配される頬側床部と、舌側又は口蓋側に配される舌側床部と、を備えた弾性床と、（ｂ）前記弾性床の前記頬側床部と前記舌側床部との間に形成された残存歯挿入孔と、（ｃ）歯列を横断する２つの横断部と、前記頬側床部及び前記舌側床部に埋入された埋入部と、を有し、前記残存歯挿入孔に挿入された残存歯を囲繞する一連の線状補強材と、を備えた構成を有している。
この構成により、以下のような作用が得られる。
（１）歯列を横断する２つの横断部と、頬側床部及び舌側床部に埋入された埋入部と、を有する一連の線状補強材を備えており、線状補強材が残存歯挿入孔に挿入された残存歯の歯肉を囲繞するので、歯頸に被着するだけで、残存歯挿入孔に挿入された残存歯を横断部間で挟み込み、残存歯や歯周組織に負担をかけることなく、頬側床部及び舌側床部で咬合時の歯を支持して、歯の矢状方向と側方方向の動揺を防ぐことができる。また、咬合負担能力が減少した動揺歯を固定することにより、生理的な咬合力を回復させることができる。
（２）一連の線状補強材が弾性床に埋入されているので、弾性床が補強され、弾性床の弾性変形を抑制して歯を噛み合わせたときの咬合力を十分に受け止めることができる。また、弾性床の弾性変形によって、歯が本来もっている生理的な動揺は維持できる。さらに、歯周病の悪化等によって歯肉の厚さ等が変化しても、線状補強材を塑性変形させられる場合は、歯肉の厚さ等に応じた最適な形状に線状補強材と弾性床を変形させて微調整できるため、装着感が良く快適性に優れる。
（３）線状補強材が頬側床部及び舌側床部に埋入されているので、線状補強材が剥き出しにならず、審美性を損ねることがなく舌触りも良い。
（４）弾性床で歯根を覆うことができるので、歯槽露出を防ぎ、知覚過敏を防ぐことができる。
（５）歯周病の進行による歯槽骨の細さ加減に応じて、頬側床部や舌側床部を厚くすることにより、弾性床の強度を上げて残存歯を強く固定することができる。
（６）暫間固定を行なう場合、患者は複数回の通院を要求されるが、患者の顎部の形状を印象材に転写すれば、それに基づいて歯牙固定具を作ることができるため、通院回数や処置の待ち時間を減らして患者の負担を軽減できる。
【０００７】
ここで、弾性床としては、ポリエチレン，ポリプロピレン，ポリ塩化ビニル，メタクリル樹脂，ＥＰＤＭやポリウレタン系の熱可塑性エラストマー，アクリル樹脂，ポリアミド，シリコーン樹脂，シリコーンゴム等の弾性を有する合成樹脂製や合成ゴム製を用いることができる。
【０００８】
残存歯挿入孔としては、残存歯の本数や大きさに合わせて、頬側床部と舌側床部との間に形成されたものが用いられる。欠損歯がある場合は、その位置に人工歯を設けることができる。
中切歯，側切歯，犬歯，小臼歯，大臼歯のいずれも、残存歯とすることができるが、歯を噛み合わせたときの咬合力が大きな小臼歯，大臼歯に適用するのが好ましい。
【０００９】
線状補強材としては、歯科用矯正線として使用されるステンレス鋼，コバルトクロム合金等の他、貴金属、チタン合金、パラジウム合金等の金属製で、０．５〜１．５ｍｍ程度の太さに形成されたものを用いることができる。また、歯科矯正用繊維強化プラスチック(FRP)ワイヤ等も用いることができる。線状補強材は、断面形状が矩形状，円形状等、種々のものを用いることができる。
なかでも、塑性変形可能な金属製（コバルトクロム線等）の線状補強材が好ましい。歯周病の悪化等によって歯肉の厚さ等が変化した場合に、歯肉の厚さ等に応じた最適な形状に線状補強材と弾性床を変形させ、その形状に保持させることによって微調整でき、患者に快適な装着感を与えられるからである。
【００１０】
横断部は、線状補強材の一部であって、中切歯，側切歯，犬歯，小臼歯，大臼歯の歯と歯の間、大臼歯の後方（遠心側）、第三大臼歯（親知らず）の抜歯後の歯肉等の歯列を、頬側から下側に亘って横断する部分である。線状補強材は一連となって維持歯を囲繞するため、横断部は、２箇所に設けられる。横断部の位置は、歯と歯の隙間の大きさ等を考慮して、適宜設定することができる。なお、線状補強材は、溶接等によって複数本を接合して一連としても良い。
横断部は、弾性床に埋入されていても良いし、外部に露呈されていても良い。いずれも、残存歯挿入孔に挿入された残存歯を挟み込むことができるからである。
【００１１】
埋入部は、線状補強材の一部であって、弾性床の頬側床部や舌側床部に埋入された部分である。歯牙固定具が顎部に取り付けられたときに、埋入部が歯根の辺りに位置するように頬側床部や舌側床部に埋入される。弾性床に完全に埋入されていても良いし、外部に一部露呈されていても良い。これにより、歯冠側面が弾性床に押圧されて、歯の動揺を防ぐことができる。
【００１２】
本発明の請求項２に記載の発明は、請求項１に記載の歯牙固定具であって、前記残存歯挿入孔が、前記残存歯の最大豊隆部に密接する縁部と、前記残存歯の歯冠下部との間に隙間が形成される歯茎側壁部と、を備えた構成を有している。
この構成により、請求項１で得られる作用に加え、以下のような作用が得られる。
（１）残存歯挿入孔が残存歯の最大豊隆部に密接する縁部を備えているので、残存歯を縁部で舌側と頬側から挟み込み、残存歯の動揺を防ぐことができるとともに食物カスが歯の根元に入り難く、さらに口腔内に取り付けた歯牙固定具を脱着し難くすることができる。
（２）口腔内に取り付けた歯牙固定具を脱着したい時には、残存歯挿入孔が残存歯の歯冠下部との間に隙間が形成される歯茎側壁部を備えているので、口腔内に取り付けた歯牙固定具を患者が比較的容易に脱着することができ、患者は取り外した歯牙固定具の洗浄等を行なうことができるためメンテナンス性に優れる。
【００１３】
ここで、縁部としては、残存歯の最大豊隆部に２〜３ｍｍの幅で密接するものが用いられる。２ｍｍより小さくなるにつれ残存歯の支持力が低下する傾向がみられ、３ｍｍより大きくなるにつれ違和感が増大する傾向がみられるからである。
【００１４】
本発明の請求項３に記載の発明は、請求項１又は２に記載の歯牙固定具であって、前記線状補強材の端部が固着され前記残存歯挿入孔の壁部に埋入された補強体を備えた構成を有している。
この構成により、請求項１又は２で得られる作用に加え、以下のような作用が得られる。
（１）歯牙固定具を作る際に、石膏等で形成された顎模型に補強体を接着等により固着した後、顎模型に固定された補強体に線状補強材の一端部を溶接等によって固着し、線状補強材の他端部を掴んで顎模型の歯肉部を囲繞し、他端部を補強体に溶接等により固着することができるため、横断部及び埋入部で残存歯を確実に囲繞することができ、残存歯を強固に固定できるとともに歯槽骨の再生に貢献する。
【００１５】
ここで、補強体としては、ステンレス鋼，貴金属，チタン合金，コバルトクロム合金，パラジウム合金等で、板状や棒状等に形成された部材を用いることができ、歯科用鋳造金属物も用いることができる。また、繊維強化プラスチック等の合成樹脂製も用いることができるが、金属製の補強材固着部材が好適に用いられる。金属製の線状補強材と溶接によって瞬時に強固に固着できるからである。
【００１６】
本発明の請求項４に記載の発明は、請求項３に記載の歯牙固定具であって、前記補強体が、前記横断部の位置に配設された構成を有している。
この構成により、請求項３で得られる作用に加え、以下のような作用が得られる。
（１）補強体の面積を大きくすることで、残存歯に加わる力を分散させながら横断部間で強く挟み込むことができるため、患者に圧迫感を与えずに残存歯を強固に固定でき、快適性に優れる。
【発明の効果】
【００１７】
以上のように、本発明の歯牙固定具によれば、以下のような有利な効果が得られる。
請求項１に記載の発明によれば、
（１）歯頸に被着するだけの簡単な操作で、残存歯挿入孔に挿入された残存歯を横断部間で挟み込み、残存歯や歯周組織に負担をかけることなく、頬側床部及び舌側床部で残存歯が動揺するのを防ぎ歯周病の悪化や痛みを抑えるとともに、生理的な咬合力を回復させる歯牙固定具を提供できる。
（２）一連の線状補強材が弾性床に埋入されているので、弾性床が補強され、弾性床の弾性変形を抑制して歯を噛み合わせたときの咬合力を受け止める機械的強度を有するとともに、弾性床の弾性変形によって、歯が本来もっている生理的な動揺は維持できる歯牙固定具を提供できる。
（３）線状補強材が頬側床部及び舌側床部に埋入されているので、線状補強材が剥き出しにならず、審美性を損ねることがなく舌触りも良い歯牙固定具を提供できる。
（４）弾性床で歯根を覆うことができるので、歯槽露出を防ぎ、知覚過敏を防ぐことができる歯牙固定具を提供できる。
（５）頬側床部や舌側床部を厚くすることにより、歯周病の進行による歯槽骨の細さ加減に応じて弾性床の強度を上げて、残存歯を強く固定することができ、症状に応じた設計の自在性に優れた歯牙固定具を提供できる。
（６）患者の顎部の形状を印象材に転写すれば、それに基づいて作ることができるため、通院回数や処置の待ち時間を減らして患者の負担を軽減できる歯牙固定具を提供できる。
【００１８】
請求項２に記載の発明によれば、請求項１の効果に加え、
（１）残存歯挿入孔が残存歯の最大豊隆部に密接する縁部を備えているので、残存歯を縁部で舌側と頬側から挟み込み、残存歯の動揺を防ぐことができるとともに食物カスが歯の根元に入り難く、さらに口腔内に一旦取り付けると外れ難い歯牙固定具を提供できる。
（２）残存歯挿入孔が残存歯の歯冠下部との間に隙間が形成される歯茎側壁部を備えているので、着脱が容易でメンテナンス性に優れた歯牙固定具を提供できる。
【００１９】
請求項３に記載の発明によれば、請求項１又は２の効果に加え、
（１）歯牙固定具を作る際に、石膏等で形成された顎模型に補強体を接着等により固着した後、顎模型に固定された補強体に線状補強材の一端部を溶接等によって固着し、線状補強材の他端部を掴んで顎模型の歯肉部を囲繞し、他端部を補強体に溶接等により固着することができるため、横断部及び埋入部で残存歯を確実に囲繞することができ、残存歯を強固に固定できるとともに歯槽骨の再生に貢献する歯牙固定具を提供できる。
【００２０】
請求項４に記載の発明によれば、請求項３の効果に加え、
（１）補強体の面積を大きくすることで、残存歯に加わる力を分散させながら横断部間で強く挟み込むことができるため、患者に圧迫感を与えずに残存歯を強固に固定でき、快適性に優れた歯牙固定具を提供できる。
【図面の簡単な説明】
【００２１】
【図１】実施の形態１における歯牙固定具の斜視図
【図２】実施の形態１における歯牙固定具を歯頸に被着した状態を示す図
【図３】図２のＡ−Ａ線における断面端面図
【図４】実施の形態１における歯牙固定具を製造するため顎模型に線状補強材を取り付けた状態を示す図
【図５】実施の形態２における歯牙固定具の斜視図
【発明を実施するための形態】
【００２２】
以下、本発明の実施の形態について、図面を参照しながら説明する。
（実施の形態１）
図１は実施の形態１における歯牙固定具の斜視図であり、図２は実施の形態１における歯牙固定具を歯頸に被着した状態を示す図であり、図３は図２のＡ−Ａ線における断面端面図である。なお、本実施の形態においては、下顎右側の臼歯を固定する歯牙固定具について説明する。
図１において、１は実施の形態１における歯牙固定具、２はポリエチレン，ポリプロピレン，ポリ塩化ビニル，メタクリル樹脂，ＥＰＤＭやポリウレタン系の熱可塑性エラストマー，アクリル樹脂，ポリアミド，シリコーン樹脂，シリコーンゴム等の弾性を有する合成樹脂製や合成ゴム製の弾性材で形成された弾性床、２ａは装着時に唇側又は頬側に配される弾性床２の頬側床部、２ｂは装着時に舌側又は口蓋側に配される弾性床２の舌側床部、２ｃは頬側床部２ａの側部と舌側床部２ｂの側部を連結して装着時に臼歯の後方（遠心側）の歯肉に配される弾性床２の遠心側床部である。頬側床部２ａ，舌側床部２ｂ，遠心側床部２ｃは合成樹脂製や合成ゴム製の弾性材で一体成形されている。３は頬側床部２ａと舌側床部２ｂとの間の頂部に長孔状に形成された残存歯挿入孔、４はステンレス鋼，貴金属，チタン合金，コバルトクロム合金，パラジウム合金等の金属製や繊維強化プラスチック等の合成樹脂製で板状に形成され弾性床２の遠心側床部２ｃに埋入された補強体、４ａは補強体４の基部、４ｂは基部４ａに形成された補強体４の孔部、４ｃは基部４ａから残存歯挿入孔３の壁部に延設された補強体４の延設部、５は多くの部分が弾性床２に埋入されたステンレス鋼，コバルトクロム合金，貴金属，チタン合金，パラジウム合金等の金属製や繊維強化プラスチック等で線状に形成された線状補強材、５ａは線状補強材５の一端部が溶接等によって補強体４に固着された固着部、５ｂは頬側床部２ａに埋入された線状補強材５の埋入部、５ｃは頬側床部２ａから舌側床部２ｂに亘って残存歯挿入孔３に架橋され弾性床２の外部に露呈し装着時に歯列を横断する線状補強材５の横断部、５ｄは舌側床部２ｂに埋入された線状補強材５の埋入部、５ｅは線状補強材５の他端部が溶接等によって補強体４に固着された固着部である。
【００２３】
図２において、１００は残存歯挿入孔３に挿入された臼歯の残存歯、１００ａは残存歯１００以外の犬歯の天然歯である。
図３において、１０１は顎骨や歯肉，粘膜等からなり残存歯１００等の天然歯が植立する顎部、１０２は残存歯１００の最大豊隆部、１０３は残存歯１００の歯冠下部、３ａは残存歯１００の最大豊隆部１０２に２〜３ｍｍの幅で密接する残存歯挿入孔３の縁部、３ｂは残存歯挿入孔３の歯茎側壁部、１０４は歯冠下部１０３と歯茎側壁部３ｂとの間に形成された隙間である。
【００２４】
ここで、本実施の形態においては、遠心側床部２ｃに埋入された補強体４の延設部４ｃは、一部が残存歯挿入孔３の縁部３ａの壁面に露呈し、装着時に残存歯１００の最大豊隆部１０２に密接する。また、補強体４は装着時に臼歯（残存歯１００）の遠心側（奥側）に配され、歯列を横断する横断部として配設されている。
また、線状補強材５は、両端部が補強体４に固着部５ａ，５ｅで固着され、一連となっている。
【００２５】
以上のように構成された本発明の実施の形態１における歯牙固定具について、図面を参照しながら、以下その製造方法を説明する。
図４は実施の形態１における歯牙固定具を製造するため顎模型に線状補強材を取り付けた状態を示す図である。
図中、１０５は歯牙固定具１を装着する患者の歯肉部及び歯牙の形状を転写して石膏等で製造された顎模型、１０５ａは顎模型１０５の歯肉部、１０５ｂは顎模型１０５の歯牙部、１０６は補強体４の基部４ａを貫通し顎模型１０５の歯肉部１０５ａに刺衝し補強体４を顎模型１０５に固定する固定ピンである。
【００２６】
歯牙固定具を製造するには、歯牙固定具を装着する患者の歯肉部及び歯牙の形状を転写した顎印象の採取が必要である。顎印象は、アルジネート（商品名），コンパウンド等の印象材を口腔内に入れ、印象材を中心咬合位で噛んでもらうことにより、患者の歯肉部及び歯牙の形状を印象材に転写し、採取することができる。
次に、印象材の歯肉及び歯牙の形状が転写されている部分に石膏等の硬化剤を盛り、硬化させた後、印象材を外すことによって顎模型１０５を得ることができる。次いで、得られた顎模型１０５の歯牙部１０５ｂの最大豊隆部の下部の歯根部の強いアンダーカットを、シリコーン製等のパテで埋める。この作業は、歯牙固定具１の残存歯挿入孔３に縁部３ａ及び歯茎側壁部３ｂを形成するために行なう。
次いで、顎模型１０５の歯肉部１０５ａの所定箇所に補強体４を置き、固定ピン１０６を基部４ａに刺衝して補強体４を顎模型１０５に固定する。基部４ａと顎模型１０５の歯肉部１０５ａとの間に接着剤を注入することによって、固定をより強固にする。なお、補強体４の延設部４ｃの先端部分は顎模型１０５の歯牙部１０５ｂの最大豊隆部に当接させておく。
次に、線状補強材５の一端部を補強体４に溶接等によって固着して固着部５ａを形成した後、顎模型１０５の頬側の歯肉部１０５ａの表面に線状補強材５を沿わせて埋入部５ｂを形成し、線状補強材５の他端部を掴んで立ち上げ、顎模型１０５の歯牙部１０５ｂの歯牙間を横断させて第一の横断部５ｃを形成する。第一の横断部５ｃを形成した後、顎模型１０５の舌側の歯肉部１０５ａの表面に線状補強材５を沿わせて埋入部５ｄを形成し、線状補強材５の他端部を補強体４に溶接等によって固着して、固着部５ｅを形成する。
このようにして、第一の横断部５ｃと第二の横断部としての補強体４との間で、顎模型１０５の歯牙部１０５ｂを挟み込み、両端部が補強体４に固着された一連の線状補強材５で顎模型１０５の歯牙部１０５ｂを囲繞する。
【００２７】
次に、図示していないが、顎模型１０５の上に歯科用パラフィンワックス等のロウを堤のように盛り、横断部５ｃを除く線状補強材５及び補強体４をロウ堤に埋入させ、硬化させてロウ堤を得る。次いで、入れ歯を作成する場合と同様に、常法により、ロウ堤を歯科用のフラスコの中に入れ、石膏で埋めた後、フラスコの中でロウを溶かす。ロウを溶かし終わると、フラスコの中には線状補強材５及び補強体４が残り、歯肉部及び歯牙の型が石膏に残る。この型に弾性材を流し込み、固化させた後、弾性材から突出した固定ピン１０６を研削して除去する。これにより、線状補強材５及び補強体４が弾性床２に埋入した歯牙固定具１が得られる。
【００２８】
以上のように、本発明の実施の形態１における歯牙固定具は構成されているので、以下のような作用が得られる。
（１）歯列を横断する２つの横断部（第一の横断部５ｃ及び第二の横断部（補強体４））と、頬側床部２ａ及び舌側床部２ｂに埋入された埋入部５ｂ，５ｄと、を有する一連の線状補強材５を備えており、歯牙固定具１を歯頸に被着するだけで、線状補強材５が残存歯挿入孔３に挿入された残存歯１００の歯肉を囲繞し、残存歯１００を横断部間で挟み込み、残存歯や歯周組織に負担をかけることなく、頬側床部２ａ及び舌側床部２ｂで残存歯１００が動揺するのを防ぐことができる。また、咬合負担能力が減少した動揺歯を固定することにより、生理的な咬合力を回復させることができる。
（２）一連の線状補強材５が弾性床２に埋入されているので、弾性床２が補強され、弾性床２の弾性変形を抑制して歯を噛み合わせたときの歯の揺れを支持することで、生理的な咬合力を十分に受け止めることができる。また、弾性床２の弾性変形によって、歯が本来もっている生理的な動揺の範囲は維持できる。さらに、歯周病の悪化等によって歯肉の厚さ等が変化しても、線状補強材５が金属製の場合は塑性変形させることができるため、歯肉の厚さ等に応じた最適な形状に弾性床を変形させて微調整でき、装着感が良く快適性に優れる。
（３）線状補強材５が頬側床部２ａ及び舌側床部２ｂに埋入されているので、線状補強材５が歯肉の表面に剥き出しにならず、審美性を損ねることがなく舌触りも良い。
（４）弾性床２で歯根と歯槽突起及び歯槽部で歯を支持して、咬合時の矢状方向と側方方向の歯の揺れを防止することで、動揺の増大を防ぐことができる。
（５）弾性床で歯根を覆うことができるので、歯槽露出を防ぎ、知覚過敏を防ぐことができる。
（６）歯周病の進行による歯槽骨の細さ加減に応じて、頬側床部２ａや舌側床部２ｂを厚くすることにより、弾性床２の強度を上げて残存歯１００を強く固定することができる。
（７）暫間固定を行なう場合、患者は複数回の通院を要求されるが、患者の顎部の形状を印象材に転写すれば、それに基づいて歯牙固定具１を作ることができるため、通院回数や処置の待ち時間を減らして患者の負担を軽減できる。
【００２９】
（８）暫間固定を行なう場合、口を開けたまま行なうと、歯が挺出した状態で固定されてしまうため、早期接触が極めて強く出てしまい咬合調整量が増加する。このため、暫間固定は口を閉じた中心咬合位で行なう必要があるが、唇等が邪魔をして処置し難い。しかし、歯牙固定具１は、患者の顎部の形状を印象材に転写して顎印象を採取し、それに基づいて製造できるため、顎印象を採取する際に中心咬合位をとり易いため、咬合調整量を少なくすることができ、さらに処置時間も短くなるため患者の負担を軽減できる。
（９）残存歯挿入孔３が残存歯１００の最大豊隆部１０２に密接する縁部３ａを備えているので、残存歯１００を縁部３ａで舌側と頬側から挟み込み、残存歯１００の動揺を防ぐことができるとともに、口腔内に取り付けた歯牙固定具１を脱着し難くすることができる。
（１０）口腔内に取り付けた歯牙固定具１を脱着したい時には、残存歯挿入孔３が残存歯１００の歯冠下部１０３との間に隙間１０４が形成される歯茎側壁部３ｂを備えているので、口腔内に取り付けた歯牙固定具１を、歯牙のアンダーカットに妨げられることなく患者が比較的容易に脱着することができ、患者は取り外した歯牙固定具１の洗浄等を行なうことができるためメンテナンス性や清掃性に優れる。
（１１）補強体４を備えているので、歯牙固定具１を作る際に、石膏等で形成された顎模型１０５に補強体４を接着等により固着した後、顎模型１０５に固定された補強体４に線状補強材５の一端部を溶接等によって固着し、線状補強材５の他端部を掴んで顎模型１０５の歯肉部１０５ａを囲繞し、他端部を補強体４に溶接等により固着することができるため、２つの横断部（第一の横断部５ｃ及び第二の横断部（補強体４））及び埋入部５ｂ，５ｄで残存歯１００を確実に囲繞することができ、残存歯１００を強固に固定できる。
（１２）残存歯１００の側面に当接する延設部４ｃを備えているので、残存歯１００に加わる力を分散させながら２つの横断部（第一の横断部５ｃ及び第二の横断部（補強体４の延設部４ｃ））間で残存歯１００を歯列方向に強く挟み込むことができるため、患者に圧迫感を与えずに残存歯１００を強固に固定でき、快適性に優れる。
（１３）補強体４の基部４ａに孔部４ｂが形成されているので、弾性材が孔部４ｂ内に流れ込み、補強体４の遠心側床部２ｃへの固定が強固になる。
（１４）合成樹脂製や合成ゴム製の弾性材で弾性床２が形成されており、弾性床２の全体が柔らかいので、咬合時に弾性床２の全体がしなって、線状補強材５で囲繞された両端の歯牙に負担をかけることなく、ちょうど良い支持力で歯牙を固定できる。
【００３０】
ここで、本実施の形態においては、下顎の４本の臼歯を残存歯挿入孔３に挿入する場合について説明したが、残存歯の本数は患者の状態に応じて、適宜設定することができる。また、下顎の臼歯に限るものではなく、上顎の臼歯や、上顎や下顎の犬歯や側切歯等を固定する場合もある。
また、補強体４を遠心側床部２ｃに埋入した場合について説明したが、これに限定するものではなく、頬側床部２ａや舌側床部２ｂに埋入する場合もある。これらの場合は、顎模型１０５に補強体４を固定する位置を、頬側や舌側の歯肉部に替えれば良い。また、補強体４に線状補強材５の両端部を固着する場合について説明したが、補強体４を用いずに、線状補強材５の両端部を溶接等によって直接固着する場合もある。これらの場合も、歯牙固定具１を歯頸に被着するだけで、残存歯挿入孔３に挿入された残存歯１００を横断部間で挟み込み、残存歯１００が動揺するのを防ぐことができる。
【００３１】
（実施の形態２）
図５は実施の形態２における歯牙固定具の斜視図である。なお、本実施の形態においては、下顎左側の臼歯を固定する歯牙固定具について説明し、実施の形態１で説明したものと同様のものは、同じ符号を付して説明を省略する。
図中、１１は実施の形態２における歯牙固定具、１２は弾性床２の頂部に植設された人工歯、１３は弾性床２に埋入されたステンレス鋼，コバルトクロム合金，貴金属，チタン合金，パラジウム合金等の金属製や繊維強化プラスチック等で線状に形成された一連の線状補強材、１３ａは頬側床部２ａに埋入された線状補強材１３の埋入部、１３ｂは頬側床部２ａから舌側床部２ｂに亘って残存歯挿入孔３に架橋され弾性床２の外部に露呈し装着時に歯列を横断する線状補強材１３の第一の横断部、１３ｃは舌側床部２ｂに埋入された線状補強材１３の埋入部、１３ｄは人工歯１２の遠心側を通って遠心側床部２ｃに埋入され装着時に歯列を横断する線状補強材１３の第二の横断部、１３ｅは線状補強材１３の両端同士が溶接等によって固着された固着部、１４は弾性床２の頂部で線状補強材１３の環外に位置し残存歯以外の天然歯を係止する係止部である。
【００３２】
以上のように構成された実施の形態２における歯牙固定具の製造方法は、実施の形態１で説明したものとほぼ同じであるが、異なる点について簡単に説明する。
実施の形態２における歯牙固定具１１は、実施の形態１における歯牙固定具１で説明した補強体４を有していない。このため、顎模型１０５に線状補強材１３を巻き付けて一連とする際には、線状補強材１３の両端部を引き付けて両端同士を溶接等によって固着する。
また、実施の形態２における歯牙固定具１１は人工歯１２を有している。このため、ロウ堤を得た後、ロウの一部を溶かして人工歯１２を植設する。次いで、入れ歯を作成する場合と同様に、常法により、ロウ堤を歯科用のフラスコの中に入れ、石膏で埋めた後、フラスコの中でロウを溶かす。ロウを溶かし終わると、フラスコの中の石膏には線状補強材１３、人工歯１２、歯肉部及び歯牙の型が残る。この型に弾性材を流し込み、固化させることにより、線状補強材１３が弾性床２に埋入し人工歯１２が植設された歯牙固定具１１が得られる。
【００３３】
以上のように、本発明の実施の形態２における歯牙固定具は構成されているので、実施の形態１で説明した作用に加え、以下のような作用が得られる。
（１）補強体を介さずに、線状補強材１３の両端部を引き付けて両端同士を溶接等によって固着しているため、補強体を埋入するスペースが不要なため、頬側床部２ａ，舌側床部２ｂ，遠心側床部２ｃの厚さや幅を薄くすることができる。
（２）人工歯１２が植設されているので、欠損歯を補い、噛み合わせを調整することができる。
（３）係止部１４を備えているので、線状補強材１３に囲繞された以外の係止部１４に係止された天然歯の保存性も高めることができる。
【００３４】
ここで、本実施の形態においては、人工歯１２が１本植設された場合について説明したが、人工歯の本数は患者の状態に応じて、適宜設定することができる。また、係止部１４の位置も、患者の状態に応じて、適宜設定することができる。
また、横断部１３ｄが人工歯１２の遠心側に配設された場合について説明したが、これに限定するものではなく、患者の状態に応じて、残存歯挿入孔３側に配設する場合もある。
【産業上の利用可能性】
【００３５】
本発明は、歯頸に被着して、歯槽骨の喪失等を生じて咬合力の低下した残存歯を固定する歯牙固定具に関し、残存歯の咬合力を受け止められる十分な機械的強度を有し、歯頸に被着するだけの簡単な操作で歯が本来もっている咬合力を発揮でき、また生理的な動揺は維持したまま残存歯を固定することができ、また歯根の露出を防ぎ、根面カリエス等の根面の破壊や知覚過敏を防ぐことができ、また症状に応じて自在に設計することができるとともに、処置等による患者の負担を軽減でき、さらに審美性を損ねることがなく違和感が少ないため、本発明の歯牙固定具は、歯周病や外傷等によって歯が動揺するときや歯周外科手術の後における残存歯の保存性に著しく優れている。
【符号の説明】
【００３６】
１  歯牙固定具
２  弾性床
２ａ  頬側床部
２ｂ  舌側床部
２ｃ  遠心側床部
３  残存歯挿入孔
３ａ  縁部
３ｂ  歯茎側壁部
４  補強体
４ａ  基部
４ｂ  孔部
４ｃ  延設部
５  線状補強材
５ａ，５ｅ  固着部
５ｂ，５ｄ  埋入部
５ｃ  横断部
１１  歯牙固定具
１２  人工歯
１３  線状補強材
１３ａ，１３ｃ  埋入部
１３ｂ，１３ｄ  横断部
１３ｅ  固着部
１４  係止部
１００  残存歯
１００ａ  天然歯
１０１  顎部
１０２  最大豊隆部
１０３  歯冠下部
１０４  隙間
１０５  顎模型
１０５ａ  歯肉部
１０５ｂ  歯牙部
１０６  固定ピン
【図１】
2010187934.tif 000003
【図２】
2010187934.tif 000004
【図３】
2010187934.tif 000005
【図４】
2010187934.tif 000006
【図５】
2010187934.tif 000007
【手続補正書】
【提出日】平成22年6月4日(2010.6.4)
【手続補正１】
【補正対象書類名】明細書
【補正対象項目名】０００６
【補正方法】変更
【補正の内容】
【０００６】
上記従来の課題を解決するために本発明の歯牙固定具は、以下の構成を有している。
本発明の請求項１に記載の歯牙固定具は、（ａ）歯頸の唇側又は頬側に配される頬側床部と、舌側又は口蓋側に配される舌側床部と、を備えた弾性床と、（ｂ）前記弾性床の前記頬側床部と前記舌側床部との間に形成された残存歯挿入孔と、（ｃ）歯列を横断する２つの横断部と、前記頬側床部及び前記舌側床部に埋入された埋入部と、を有し、前記残存歯挿入孔に挿入された残存歯を囲繞する一連の線状補強材と、を備えた構成を有している。
この構成により、以下のような作用が得られる。
（１）歯列を横断する２つの横断部と、頬側床部及び舌側床部に埋入された埋入部と、を有する一連の線状補強材を備えており、線状補強材が残存歯挿入孔に挿入された残存歯の歯肉を囲繞するので、歯頸に被着するだけで、残存歯挿入孔に挿入された残存歯を横断部間で挟み込み、残存歯や歯周組織に負担をかけることなく、頬側床部及び舌側床部で咬合時の歯を支持して、歯の矢状方向と側方方向の動揺を防ぐことができる。また、咬合負担能力が減少した動揺歯を固定することにより、生理的な咬合力を回復させることができる。
（２）一連の線状補強材が弾性床に埋入されているので、弾性床が補強され、弾性床の弾性変形を抑制して歯を噛み合わせたときの咬合力を十分に受け止めることができる。また、弾性床の弾性変形によって、歯が本来もっている生理的な動揺は維持できる。さらに、歯周病の悪化等によって歯肉の厚さ等が変化しても、線状補強材を塑性変形させられる場合は、歯肉の厚さ等に応じた最適な形状に線状補強材と弾性床を変形させて微調整できるため、装着感が良く快適性に優れる。
（３）線状補強材が頬側床部及び舌側床部に埋入されているので、線状補強材が剥き出しにならず、審美性を損ねることがなく舌触りも良い。
（４）弾性床で歯根を覆うことができるので、歯根露出を防ぎ、知覚過敏を防ぐことができる。
（５）歯周病の進行による歯槽骨の細さ加減に応じて、頬側床部や舌側床部を厚くすることにより、弾性床の強度を上げて残存歯を強く固定することができる。
（６）暫間固定を行なう場合、患者は複数回の通院を要求されるが、患者の顎部の形状を印象材に転写すれば、それに基づいて歯牙固定具を作ることができるため、通院回数や処置の待ち時間を減らして患者の負担を軽減できる。
【手続補正２】
【補正対象書類名】明細書
【補正対象項目名】００１７
【補正方法】変更
【補正の内容】
【００１７】
以上のように、本発明の歯牙固定具によれば、以下のような有利な効果が得られる。
請求項１に記載の発明によれば、
（１）歯頸に被着するだけの簡単な操作で、残存歯挿入孔に挿入された残存歯を横断部間で挟み込み、残存歯や歯周組織に負担をかけることなく、頬側床部及び舌側床部で残存歯が動揺するのを防ぎ歯周病の悪化や痛みを抑えるとともに、生理的な咬合力を回復させる歯牙固定具を提供できる。
（２）一連の線状補強材が弾性床に埋入されているので、弾性床が補強され、弾性床の弾性変形を抑制して歯を噛み合わせたときの咬合力を受け止める機械的強度を有するとともに、弾性床の弾性変形によって、歯が本来もっている生理的な動揺は維持できる歯牙固定具を提供できる。
（３）線状補強材が頬側床部及び舌側床部に埋入されているので、線状補強材が剥き出しにならず、審美性を損ねることがなく舌触りも良い歯牙固定具を提供できる。
（４）弾性床で歯根を覆うことができるので、歯根露出を防ぎ、知覚過敏を防ぐことができる歯牙固定具を提供できる。
（５）頬側床部や舌側床部を厚くすることにより、歯周病の進行による歯槽骨の細さ加減に応じて弾性床の強度を上げて、残存歯を強く固定することができ、症状に応じた設計の自在性に優れた歯牙固定具を提供できる。
（６）患者の顎部の形状を印象材に転写すれば、それに基づいて作ることができるため、通院回数や処置の待ち時間を減らして患者の負担を軽減できる歯牙固定具を提供できる。
【手続補正３】
【補正対象書類名】明細書
【補正対象項目名】００２８
【補正方法】変更
【補正の内容】
【００２８】
以上のように、本発明の実施の形態１における歯牙固定具は構成されているので、以下のような作用が得られる。
（１）歯列を横断する２つの横断部（第一の横断部５ｃ及び第二の横断部（補強体４））と、頬側床部２ａ及び舌側床部２ｂに埋入された埋入部５ｂ，５ｄと、を有する一連の線状補強材５を備えており、歯牙固定具１を歯頸に被着するだけで、線状補強材５が残存歯挿入孔３に挿入された残存歯１００の歯肉を囲繞し、残存歯１００を横断部間で挟み込み、残存歯や歯周組織に負担をかけることなく、頬側床部２ａ及び舌側床部２ｂで残存歯１００が動揺するのを防ぐことができる。また、咬合負担能力が減少した動揺歯を固定することにより、生理的な咬合力を回復させることができる。
（２）一連の線状補強材５が弾性床２に埋入されているので、弾性床２が補強され、弾性床２の弾性変形を抑制して歯を噛み合わせたときの歯の揺れを支持することで、生理的な咬合力を十分に受け止めることができる。また、弾性床２の弾性変形によって、歯が本来もっている生理的な動揺の範囲は維持できる。さらに、歯周病の悪化等によって歯肉の厚さ等が変化しても、線状補強材５が金属製の場合は塑性変形させることができるため、歯肉の厚さ等に応じた最適な形状に弾性床を変形させて微調整でき、装着感が良く快適性に優れる。
（３）線状補強材５が頬側床部２ａ及び舌側床部２ｂに埋入されているので、線状補強材５が歯肉の表面に剥き出しにならず、審美性を損ねることがなく舌触りも良い。
（４）弾性床２で歯根と歯槽突起及び歯槽部で歯を支持して、咬合時の矢状方向と側方方向の歯の揺れを防止することで、動揺の増大を防ぐことができる。
（５）弾性床で歯根を覆うことができるので、歯根露出を防ぎ、知覚過敏を防ぐことができる。
（６）歯周病の進行による歯槽骨の細さ加減に応じて、頬側床部２ａや舌側床部２ｂを厚くすることにより、弾性床２の強度を上げて残存歯１００を強く固定することができる。
（７）暫間固定を行なう場合、患者は複数回の通院を要求されるが、患者の顎部の形状を印象材に転写すれば、それに基づいて歯牙固定具１を作ることができるため、通院回数や処置の待ち時間を減らして患者の負担を軽減できる。